(57)【要約】【課題】ブラシ群の耐久性を向上できるとともに、マイナスイオンを被清掃面に安定して供給することができる電気掃除機用吸込具を提供すること。【解決手段】下面に吸込口１５を有する吸込具本体１と、吸込口１５の近傍に回転自在に設けられた回転ブラシ７と、回転ブラシ７の外周部に設けられており、帯電順位がプラス側にある素材からなるブラシ体８と、回転ブラシ７に設けられており、帯電順位がマイナス側にある素材からなる筒状の磨耗体１０とを有する電気掃除機用吸込具。【選択図】図２
2011183018.tif 000002
【特許請求の範囲】
【請求項１】
下面に吸込口を有する吸込具本体と、
前記吸込口の近傍に回転自在に設けられた回転ブラシと、
前記回転ブラシの外周部に設けられており、帯電順位がプラス側にある素材からなるブラシ体と、
前記回転ブラシに設けられており、帯電順位がマイナス側にある素材からなる筒状の磨耗体と、
を有する電気掃除機用吸込具。
【請求項２】
前記磨耗体は、前記回転ブラシの回転力により回転駆動される請求項１に記載の電気掃除機用吸込具。
【請求項３】
前記吸込具本体には、前記回転ブラシを回転駆動する駆動部が設けられており、前記駆動部は、前記吸込具本体の左側面から前記吸込具本体を眺めたときに、前記回転ブラシを反時計回りに回転させるように構成されている請求項１または２に記載の電気掃除機用吸込具。
【請求項４】
前記磨耗体は、前記磨耗体の長手方向の長さが、前記回転ブラシの長手方向の長さよりも短くなるように形成されており、前記磨耗体は、前記長手方向に複数個配置されている請求項１〜３のうちの何れか１項に記載の電気掃除機用吸込具。
【請求項５】
前記吸込具本体は、前記吸込具本体の上部から前記磨耗体が目視できるように構成されている請求項１〜４のうちの何れか１項に記載の電気掃除機用吸込具。
【請求項６】
前記磨耗体の外周には、帯電順位がマイナス側にある素材からなる短冊状のプレートが設けられている請求項１〜５のうちの何れか１項に記載の電気掃除機用吸込具。
【請求項７】
前記プレートは、前記磨耗体の表面より突出して設けられている請求項６に記載の電気掃除機用吸込具。
【請求項８】
前記吸込具本体の前方の前記回転ブラシと対向する面には、帯電順位がマイナス側にある素材からなる板部が設けられている請求項１〜７のうちの何れか１項に記載の電気掃除機用吸込具。
【請求項９】
吸引風を発する電動送風機を内蔵した掃除機本体と、請求項１〜８のうちの何れか１項に記載の電気掃除機用吸込具と、を有する電気掃除機。
【発明の詳細な説明】
【技術分野】
【０００１】
本発明は、床を拭き掃除する電気掃除機用吸込具、及びそれを備えた電気掃除機に関する。
【背景技術】
【０００２】
従来、この種の電気掃除機用吸込具においては、電気掃除機用吸込具内に帯電順位の異なるブラシ群をそれぞれ設け、このブラシ群を摩擦させ合いながら回転させることでマイナスイオンを発生させ、このマイナスイオンを被清掃面の塵埃に吸着させて集塵する構成を有する電気掃除機用吸込具が提案されている（例えば、特許文献１参照）。
【０００３】
このような従来の電気掃除機用吸込具としては、例えば、図５に示す構成を有する電気掃除機用吸込具が提案されている。
【０００４】
図５に示すように、吸込具本体１９の下面に設けられた開口部１８内には、帯電順位がマイナス側のブラシ１６ａを有するブラシ群１６と帯電順位がプラス側のブラシ１７ａを有するブラシ群１７とが、それぞれ回転自在に設けられており、このブラシ群１６及び１７は、被清掃面上を吸込具本体１９が動く際に生じるブラシ群１６及び１７と被清掃面との抵抗力等により回転し、この回転時に、ブラシ群１６が有するブラシ１６ａとブラシ群１７が有するブラシ１７ａとが摩擦し合うことでマイナスイオンを発生させる構成を有する電気掃除機用吸込具が提案されている。
【先行技術文献】
【特許文献】
【０００５】
【特許文献１】特開２００５−３０５１９４号公報
【発明の概要】
【発明が解決しようとする課題】
【０００６】
しかしながら、上記従来の電気掃除機用吸込具においては、ブラシ群の耐久性を向上させるという観点からは未だ改善の余地があった。
【０００７】
すなわち、上記従来の電気掃除機用吸込具においては、帯電順位がプラス側のブラシを有するブラシ群と帯電順位がマイナス側のブラシを有するブラシ群とは、ブラシ同士により接触しているため、接触部分の面積が大きくなる。このため、ブラシが互いに磨耗し合い摩滅したり、ブラシ同士が絡まり引きちぎれたりする場合があり、耐久性が低いことを本発明者らは見出した。
【０００８】
本発明は、上記従来技術の有する課題に鑑みてなされたものであり、ブラシ群の耐久性を向上できるとともに、マイナスイオンを被清掃面に安定して供給することができる電気掃除機用吸込具を提供することを目的とする。
【課題を解決するための手段】
【０００９】
上記従来技術の有する課題を解決するために、本発明は、下面に吸込口を有する吸込具本体と、吸込口の近傍に回転自在に設けられた回転ブラシと、回転ブラシの外周部に設けられており、帯電順位がプラス側にある素材からなるブラシ体と、回転ブラシに設けられており、帯電順位がマイナス側にある素材からなる筒状の磨耗体とを有する電気掃除機用吸込具を提供する。
【００１０】
上述のように、本発明の電気掃除機用吸込具は、帯電順位がプラス側にある素材からなるブラシ体と帯電順位がマイナス側にある素材からなる筒状の磨耗体とが摩擦し合うことでマイナスイオンを発生させる構成とされている。
【００１１】
これにより、帯電順位がプラス側にあるブラシ体と帯電順位がマイナス側にある磨耗体との接触部分の面積が小さくなるため、ブラシが互いに磨耗し合い摩滅したり、ブラシ同士が絡まり引きちぎれたりすることがなく、耐久性を向上させることができるとともに、被清掃面にマイナスイオンを安定して供給することができる。
【発明の効果】
【００１２】
本発明の電気掃除機用吸込具によれば、ブラシ群の耐久性を向上できるとともに、マイナスイオンを被清掃面に安定して供給することができるようになる。
【図面の簡単な説明】
【００１３】
【図１】本発明の実施の形態１における電気掃除機用吸込具を装着した電気掃除機の全体斜視図
【図２】本発明の実施の形態１における電気掃除機用吸込具の側部断面図
【図３】本発明の実施の形態１における電気掃除機用吸込具の上面図
【図４】本発明の実施の形態１における電気掃除機用吸込具の上部材を外した上面図
【図５】従来の電気掃除機用吸込具の側部断面図
【発明を実施するための形態】
【００１４】
第１の発明は、下面に吸込口を有する吸込具本体と、吸込口の近傍に回転自在に設けられた回転ブラシと、回転ブラシの外周部に設けられており、帯電順位がプラス側にある素材からなるブラシ体と、回転ブラシに設けられており、帯電順位がマイナス側にある素材からなる筒状の磨耗体とを有する電気掃除機用吸込具としたものである。
【００１５】
これにより、帯電順位がプラス側にあるブラシ体と帯電順位がマイナス側にある磨耗体との接触部分の面積が小さくなるため、ブラシが互いに磨耗し合い摩滅したり、ブラシ同士が絡まり引きちぎれたりすることがなく、耐久性を向上させることができるとともに、被清掃面にマイナスイオンを安定して供給することができる。
【００１６】
第２の発明は、特に、第１の発明において、磨耗体は、回転ブラシの回転力により回転駆動される構成としたものである。
【００１７】
これにより、磨耗体のブラシ体と接触する部分が一定ではなく変化するため、磨耗体の磨耗を十分に抑制することができ、磨耗体の耐久性を向上させることができる。
【００１８】
第３の発明は、特に、第１または第２の発明において、吸込具本体には、回転ブラシを回転駆動する駆動部が設けられており、駆動部は、吸込具本体の左側面から吸込具本体を眺めたときに、回転ブラシを反時計回りに回転させるように構成されているものである。
【００１９】
一般的に、上述の従来の電気掃除機用吸込具のように、被清掃面上を吸込具本体が動く際に生じるブラシ群と被清掃面との抵抗力等により帯電順位の異なるブラシ群をそれぞれ回転させ、この回転時に、帯電順位の異なるブラシ群同士が摩擦し合うことでマイナスイオンを発生させる構成を有する電気掃除機用吸込具において、使用者が吸込具本体を前進操作した場合、それぞれのブラシ群は、吸込具本体を左側から眺めた際に反時計回りに回転するようになっている。また、使用者が吸込具本体を後進操作した場合、それぞれのブラシ群は、吸込具本体を左側から眺めた際に時計回りに回転するようになっている。
【００２０】
マイナスイオンの放出される方向は、帯電順位がプラス側のブラシを有するブラシ群の回転方向によって定まるため、使用者が吸込具本体を後進操作した場合、マイナスイオンは、吸込具本体内に放出されることとなり、帯電順位がプラス側のブラシを有するブラシ群の回転方向によっては、マイナスイオンが被清掃面に十分に安定して供給されない場合があった。
【００２１】
そこで、帯電順位がプラス側にある素材からなるブラシ体を有する回転ブラシを駆動する駆動部を設け、吸込具本体の左側面から吸込具本体を眺めたときに、回転ブラシが反時計回りに回転するように、駆動部により駆動することにより、マイナスイオンの放出方向が一定方向となり、マイナスイオンをより安定して被清掃面に供給することができる。
【００２２】
第４の発明は、特に、第１〜第３の発明のうちの何れか１つの発明において、磨耗体は、磨耗体の長手方向の長さが、回転ブラシの長手方向の長さよりも短くなるように形成されており、磨耗体は、長手方向に複数個配置されているものである。
【００２３】
これにより、回転ブラシの全長に対して、磨耗体が接触する長さが短くなるため、回転ブラシに付加される負荷を軽減ことができる。
【００２４】
第５の発明は、特に、第１〜第４の発明のうちの何れか１つの発明において、吸込具本体は、吸込具本体の上部から磨耗体が目視できるように構成されているものである。
【００２５】
これにより、磨耗体に塵埃が絡みついたことが使用者側から目視できることができるために磨耗体の清掃時期の確認が容易に行うことができる。
【００２６】
第６の発明は、特に、第１〜第５の発明のうちの何れか１つの発明において、磨耗体の外周には、帯電順位がマイナス側にある素材からなる短冊状のプレートが設けられているものである。
【００２７】
これにより、磨耗体のマイナスイオンを発生させる部分は、プレートと回転ブラシとが接触した箇所になり、常に接触することがないために磨耗体の耐久性をさらに向上させることができる。
【００２８】
第７の発明は、特に、第６の発明において、プレートは、磨耗体の表面より突出して設けられているものである。
【００２９】
これにより、回転ブラシの擦毛体がプレートの突出した端面を弾いて磨耗体を回転させることになり磨耗体の回転性がより確実になり回転数が向上するとともに、プレートと擦毛体の接触がプレートのエッジ部分で行われることや磨耗体の回転数が向上したことでプレートと擦毛体の接触回数が向上したことでマイナスイオンの発生量を安定させることができる。
【００３０】
第８の発明は、特に、第１〜第７の発明のうちの何れか１つの発明において、吸込具本体の前方の回転ブラシと対向する面には、帯電順位がマイナス側にある素材からなる板部が設けられているものである。
【００３１】
これにより、磨耗体と回転ブラシとの摩擦、及び、板部と回転ブラシとの摩擦のそれぞれにおいてマイナスイオンが発生されることとなり、マイナスイオンをより安定して被清掃面に供給することができる。
【００３２】
第９の発明は、吸引風を発する電動送風機を内蔵した掃除機本体と、請求項１〜８のう
ちの何れか１項に記載の電気掃除機用吸込具とを有する電気掃除機としたものである。
【００３３】
これにより、ブラシ体の耐久性を向上できるとともに、マイナスイオンを被清掃面に安定して供給することができる電気掃除機用吸込具を備えた電気掃除機を提供することができる。
【００３４】
以下、図面を参照しながら本発明の電気掃除機用吸込具の好適な実施の形態について説明する。なお、以下の説明では、同一または相当部分には同一符号を付し、重複する説明は省略する。
【００３５】
（実施の形態１）
本発明の電気掃除機用吸込具の実施の形態１について、図１〜図４を用いて説明する。
【００３６】
図１は、本発明の実施の形態１における電気掃除機用吸込具を装着した電気掃除機の全体斜視図である。また、図２は、本発明の実施の形態１における電気掃除機用吸込具の側部断面図である。さらに、図３は、本発明の実施の形態１における電気掃除機用吸込具の上面図である。また、図４は、本発明の実施の形態１における電気掃除機用吸込具の上部材を外した上面図である。
【００３７】
図１に示すように、電気掃除機１００は、主として、被清掃面の塵埃を捕集する吸込具本体１と、吸引風を発生させる電動送風機２３を有する掃除機本体２２と、電動送風機２３を制御する制御回路（図示せず）が設けられており、一端が掃除機本体に接続されるホース２１と、一端がホース２１に接続され、他端が吸込具本体１に接続される延長管２０とから構成されている。
【００３８】
図２〜４に示すように、吸込具本体１は、主として、吸込具本体１の下面を構成するとともに、下面に吸込口１５を有する下部材５と、吸込具本体１の上面を構成する上部材２とから構成されている。また、吸込具本体１の後方の中央部にはパイプ６が配置されており、このパイプ６は、下部材５と上部材２とにより挟持されている。
【００３９】
吸込口１５内には、吸込具本体１に回転自在に軸支された回転ブラシ７が設けられている。この回転ブラシ７の外周面には、帯電順位がプラス側にある素材から構成されているブラシ体８がらせん状に複数配置されている。下部材５の前部内壁には、帯電順位がマイナス側の素材からなる板部９が設けられており、ブラシ体８は板部９に接触するように構成されている。
【００４０】
吸込具本体１の後方の左右どちらか一方には、電動機やタービンなどからなる駆動部１３が設けられており、この駆動部１３の出力は、ベルト１４により回転ブラシ７の一端に設けたギアに伝達されている。
【００４１】
回転ブラシ７の回転中心軸よりも前方の上部には、ブラシ体８と接触するように磨耗体１０が設けられている。ブラシ体８と磨耗体１０とが接触する量は、１〜２ｍｍが最適である。また、磨耗体１０は回転ブラシ７の長手方向の全長に対して短く設定されている。磨耗体１０は回転ブラシ７の長手方向に対して、２〜３個設置されている。また、磨耗体１０は、軸１２により回転自在に軸支されている。
【００４２】
磨耗体１０の表面には、帯電順位がマイナス側にある素材により構成されており、磨耗体１０の長手方向に向かって伸びる短冊状のプレート１１が設けられており、プレート１１は磨耗体１０の表面から突出するように構成されている。
【００４３】
磨耗体１０は、下部材５の上部を覆う中部材４上の前方部に窓上の穴を設け、吸込口１５に臨むように設置され、軸１２により軸支されている。中部材４上に外観を構成する上部材２が覆い、さらに上部材２に一体に形成された窓部３により磨耗体１０が上部材２上面からのぞいた時でも確認できるように構成されている。
摺毛体８は下部材５の前部内壁に接触し、下部材５の前部内壁部にはテフロン（登録商標）などの帯電列順位がマイナス側にある素材でできた板部材９を設けてある。
【００４４】
ここで、帯電順位がプラス側にある素材としては、ナイロンや羊毛などのプラス側に帯電しやすい材料を採用し、帯電順位がマイナス側にある素材としては、フッ化樹脂や塩化ビニル等のマイナス側に帯電しやすい材料を採用すればよい。
【００４５】
以上のように構成された電気掃除機用吸込具について、以下その動作、作用を説明する。
【００４６】
まず、ホース２１に設けられた回路上のスイッチから電動送風機２３を起動させる。電動送風機２３により負圧が発生し、ホース２１と延長管２０内部に掃除機本体２２内部に流れ込む吸引風が発生する。吸込具本体１にはパイプ６を介して、吸込口１５に吸引風が発生し、床面の塵埃を吸引して掃除機本体２２内部に送り込むことになる。
【００４７】
駆動部１３が電動機だった場合、電動送風機２３が起動したときに駆動部１３も起動され、動力はベルト１４を介して回転ブラシ７に伝達される。図１より、回転ブラシ７の回転方向は、吸込具本体１の左側面から吸込具本体１を眺めたときに、反時計方向となる。
【００４８】
ここで、吸込具本体１の左側面とは、図１中の矢印Ｃ側である。また、吸込具本体１の前方とは、図１中の矢印Ａ側であり、使用者が吸込具本体１を前進操作する方向に相当する。さらに、吸込具本体１の後方とは、図１中の矢印Ｂ側であり、使用者が吸込具本体１を後進操作する方向に相当する。また、吸込具本体１の右側面とは、図１中の矢印Ｄ側である。
【００４９】
回転ブラシ７が駆動することで、ブラシ体８が磨耗体１０に接触し、磨耗体１０はブラシ体８の駆動力により回転駆動する。回転ブラシ７が反時計方向で回転するので磨耗体１０は時計方向に駆動することになる。また、窓部３より磨耗体１０が回転駆動していることを確認できる。
【００５０】
ブラシ体８は、プレート１１と板部９とに接触しており、プラスの帯電順位のものがマイナスの帯電順位のものと摺りあうことで、マイナスイオンを発生させる。そのため、ブラシ体８、プレート１１、及び板部材９の間でマイナスイオンが発生される。
【００５１】
マイナスイオンは、はじき出されるように発生して被掃除面に散布されるので、この場合、回転ブラシ７の回転方向が反時計回りであるために、吸込具本体１の前方部に向かって散布されることになる。プレート１１も板部材９も回転ブラシ７の長手方向に向かって存在するために、マイナスイオンは回転ブラシの長手方向の長さ分、吸込具本体前部に向かって散布される形になる。
【産業上の利用可能性】
【００５２】
本発明の電気掃除機用吸込具は、マイナスイオンを床面側に安定して供給させると共に耐久性の優れたものとすることが可能となるので、床を拭き掃除する電気掃除機用吸込具等の用途にも適用できる。
【符号の説明】
【００５３】
１  吸込具本体
７  回転ブラシ
８  ブラシ体
１０  磨耗体
１５  吸込口
【図１】
2011183018.tif 000003
【図２】
2011183018.tif 000004
【図３】
2011183018.tif 000005
【図４】
2011183018.tif 000006
【図５】
2011183018.tif 000007
【手続補正書】
【提出日】平成22年4月14日(2010.4.14)
【手続補正１】
【補正対象書類名】特許請求の範囲
【補正対象項目名】請求項１
【補正方法】変更
【補正の内容】
【請求項１】
下面に吸込口を有する吸込具本体と、
前記吸込口の近傍に回転自在に設けられた回転ブラシと、
前記回転ブラシの外周部に設けられており、帯電順位がプラス側にある素材からなるブラシ体と、
前記回転ブラシの前方上部に設けられており、帯電順位がマイナス側にある素材からなる筒状の磨耗体と、
を有する電気掃除機用吸込具。
【手続補正２】
【補正対象書類名】明細書
【補正対象項目名】０００９
【補正方法】変更
【補正の内容】
【０００９】
上記従来技術の有する課題を解決するために、本発明は、下面に吸込口を有する吸込具本体と、吸込口の近傍に回転自在に設けられた回転ブラシと、回転ブラシの外周部に設けられており、帯電順位がプラス側にある素材からなるブラシ体と、回転ブラシの前方上部に設けられており、帯電順位がマイナス側にある素材からなる筒状の磨耗体とを有する電気掃除機用吸込具を提供する。
【手続補正３】
【補正対象書類名】明細書
【補正対象項目名】００１４
【補正方法】変更
【補正の内容】
【００１４】
第１の発明は、下面に吸込口を有する吸込具本体と、吸込口の近傍に回転自在に設けられた回転ブラシと、回転ブラシの外周部に設けられており、帯電順位がプラス側にある素材からなるブラシ体と、回転ブラシの前方上部に設けられており、帯電順位がマイナス側にある素材からなる筒状の磨耗体とを有する電気掃除機用吸込具としたものである。